(57)【要約】      （修正有）【課題】頭部の寸法に拘わらず、ユーザが長時間の使用によって苦痛を感じたり、眼鏡が落下するといった不具合を１つの眼鏡サイズで解消し、かつテンプルの変形によって回路が破損することを回避することができる３Ｄ眼鏡を提供する。【解決手段】表示装置に表示された右目用及び左目用の映像夫々を選択的に透過させる右目用シャッタ１１Ｒ及び左目用シャッタ１１Ｌと、右目用シャッタ１１Ｒ及び左目用シャッタ１１Ｌを駆動する回路１９を内部に有するテンプル１６，１６とを備えた３Ｄ眼鏡１において、テンプル１６，１６は、テンプル１６，１６の前部を構成しており、回路１９を収容するテンプル前部１７，１７と、テンプル１６，１６の後部を構成しており、弾性変形が可能なテンプル後部１８，１８とを有する。【選択図】図１
2012022247.tif 000002
【特許請求の範囲】
【請求項１】
表示装置に表示された右目用及び左目用の映像夫々を選択的に透過させる右目用シャッタ及び左目用シャッタと、該右目用シャッタ及び左目用シャッタを駆動する回路を内部に有するテンプルとを備えた３Ｄ眼鏡において、
前記テンプルは、
前記テンプルの前部を構成しており、前記回路を収容するテンプル前部と、
前記テンプルの後部を構成しており、弾性変形が可能なテンプル後部と
を備えることを特徴とする３Ｄ眼鏡。
【請求項２】
前記テンプル後部は、
弾性変形が可能な芯部材と、
該芯部材に比べて軟質の材料からなり、該芯部材を覆う覆部材と
を備えることを特徴とする請求項１に記載の３Ｄ眼鏡。
【請求項３】
前記芯部材は、
表面に凹部を有する
ことを特徴とする請求項２に記載の３Ｄ眼鏡。
【請求項４】
前記芯部材は、
前後に亘って複数の縦溝状の凹部を有し、
前方の凹部は、後方の凹部に比べて深い
ことを特徴とする請求項２に記載の３Ｄ眼鏡。
【請求項５】
前記芯部材は、
前後に亘って複数の縦溝状の凹部を有し、
前方の凹部は、後方の凹部に比べて、前後方向の幅が広い
ことを特徴とする請求項２に記載の３Ｄ眼鏡。
【請求項６】
前記芯部材は、
前後に亘って複数の縦溝状の凹部を有し、
前方の凹部同士の間隔は、後方の凹部同士の間隔に比べて広い
ことを特徴とする請求項２に記載の３Ｄ眼鏡。
【請求項７】
前記芯部材と、前記テンプル前部とは一体成型されている
ことを特徴とする請求項２から請求項６までのいずれか一項に記載の３Ｄ眼鏡。
【発明の詳細な説明】
【技術分野】
【０００１】
本発明は、表示装置に表示された右目用及び左目用の映像夫々を選択的に透過させる右目用シャッタ及び左目用シャッタと、該右目用シャッタ及び左目用シャッタを駆動する回路を内部に有するテンプルとを備えた３Ｄ眼鏡に関する。
【背景技術】
【０００２】
近年、液晶テレビ、プラズマテレビ、有機ＥＬテレビなどの表示装置において、３Ｄ化が急速に進んでおり、３Ｄ映像を楽しむことができる表示システムが相次いで製品化されている。該表示システムは、３Ｄ用の映像として、右目用及び左目用の映像を交互に表示することができる表示装置と、該表示装置に表示された右目用及び左目用の映像夫々を選択的に透過させる右目用シャッタ及び左目用シャッタを有する３Ｄ眼鏡とを備える（例えば、特許文献１）。３Ｄ眼鏡は、右目用シャッタ及び左目用シャッタを駆動するための回路及び電池等を適宜箇所に搭載している。
【先行技術文献】
【特許文献】
【０００３】
【特許文献１】特開平９−９０２９２号公報
【発明の概要】
【発明が解決しようとする課題】
【０００４】
ところで、３Ｄ眼鏡においては、ユーザの範囲が比較的限定される近視用眼鏡及び老眼鏡と異なり、頭部の寸法が異なる不特定多数のユーザが想定される。一方、３Ｄ眼鏡は、長時間の使用によってユーザが苦痛を感じたり、３Ｄ眼鏡が落下するといった不具合に、１つの眼鏡サイズで対応することが求められている。
【０００５】
本発明は斯かる事情に鑑みてなされたものであり、頭部の寸法に拘わらず、ユーザが長時間の使用によって苦痛を感じたり、眼鏡が落下するといった不具合を１つの眼鏡サイズで解消し、かつテンプルの変形によって回路が破損することを回避することができる３Ｄ眼鏡を提供することを目的とする。
【課題を解決するための手段】
【０００６】
本発明に係る３Ｄ眼鏡は、表示装置に表示された右目用及び左目用の映像夫々を選択的に透過させる右目用シャッタ及び左目用シャッタと、該右目用シャッタ及び左目用シャッタを駆動する回路を内部に有するテンプルとを備えた３Ｄ眼鏡において、前記テンプルは、前記テンプルの前部を構成しており、前記回路を収容するテンプル前部と、前記テンプルの後部を構成しており、弾性変形が可能なテンプル後部とを備えることを特徴とする。
【０００７】
本発明にあっては、テンプル後部は弾性変形が可能であるため、頭部の寸法が異なる複数のユーザに対応することが可能である。つまり、ユーザは、頭部の寸法に拘わらず、左右のテンプルを左右外側に押し広げながら３Ｄ眼鏡を装着することが可能である。また、このように３Ｄ眼鏡を装着した場合、テンプルの弾性力によって、３Ｄ眼鏡はユーザの頭部に保持される。また、実質的に弾性変形しないテンプル前部に回路を収容しているため、テンプルの弾性変形によって該回路が破損することは無い。
【０００８】
本発明に係る３Ｄ眼鏡は、前記テンプル後部は、弾性変形が可能な芯部材と、該芯部材に比べて軟質の材料からなり、該芯部材を覆う覆部材とを備えることを特徴とする。
【０００９】
本発明にあっては、テンプル後部を構成している芯部材がヒンジ効果を奏する。また、テンプル後部を構成している覆部材は、芯部材に比べて軟質であるため、ユーザの顔に長時間直接当たっても、ユーザは痛みを感じにくい。
【００１０】
本発明に係る３Ｄ眼鏡は、前記芯部材は、表面に凹部を有することを特徴とする。
【００１１】
本発明にあっては、芯部材の表面に形成された凹部の形状、大きさ、配置、数等によって、芯部材のヒンジ効果を調整することが可能である。
【００１２】
本発明に係る３Ｄ眼鏡は、前記芯部材は、前後に亘って複数の縦溝状の凹部を有し、前方の凹部は、後方の凹部に比べて深いことを特徴とする。
【００１３】
本発明にあっては、芯部材は、前後に亘って複数の縦溝状の凹部を有し、前方の凹部は、後方の凹部に比べて深い。従って、テンプルの前後に亘って適当な弾性力を発揮する。
【００１４】
本発明に係る３Ｄ眼鏡は、前記芯部材は、前後に亘って複数の縦溝状の凹部を有し、前方の凹部は、後方の凹部に比べて、前後方向の幅が広いことを特徴とする。
【００１５】
本発明にあっては、芯部材は、前後に亘って複数の縦溝状の凹部を有し、前方の凹部は、後方の凹部に比べて、前後方向の幅が広い。従って、テンプルの前後に亘って適当な弾性力を発揮する。
【００１６】
本発明に係る３Ｄ眼鏡は、前記芯部材は、前後に亘って複数の縦溝状の凹部を有し、前方の凹部同士の間隔は、後方の凹部同士の間隔に比べて広いことを特徴とする。
【００１７】
本発明にあっては、芯部材は、前後に亘って複数の縦溝状の凹部を有し、前方の凹部同士の間隔は、後方の凹部同士の間隔に比べて広い。従って、テンプルの前後に亘って適当な弾性力を発揮する。
【００１８】
本発明に係る３Ｄ眼鏡は、前記芯部材と、前記テンプル前部とは一体成型されていることを特徴とする。
【００１９】
本発明にあっては、芯部材と、前記テンプル前部とが一体成型されているため、各部材を接合する部材及び構造が不要である。
【発明の効果】
【００２０】
本発明によれば、頭部の寸法に拘わらず、ユーザが長時間の使用によって苦痛を感じたり、眼鏡が落下するといった不具合を１つの眼鏡サイズで解消し、かつテンプルの変形によって回路が破損することを回避することができる。
【図面の簡単な説明】
【００２１】
【図１】本実施の形態に係る３Ｄ眼鏡の一構成例を示した斜視図である。
【図２】３Ｄ眼鏡の一構成例を示した平面図である。
【図３】３Ｄ眼鏡の分解斜視図である。
【図４】芯部材の一構成例を示した斜視図である。
【図５】芯部材の一構成例を示した平面図である。
【図６】覆部材の一構成例を示した斜視図である。
【図７】３Ｄ眼鏡の内部回路構成を示したブロック図である。
【図８】ヒンジ効果の調整方法を示す工程図である。
【図９】変形例１に係る３Ｄ眼鏡の芯部材の一構成例を示した斜視図である。
【図１０】変形例２に係る３Ｄ眼鏡の芯部材の一構成例を示した平面図である。
【図１１】変形例３に係る３Ｄ眼鏡の芯部材の一構成例を示した平面図である。
【図１２】変形例４に係る３Ｄ眼鏡の芯部材の一構成例を示した斜視図である。
【発明を実施するための形態】
【００２２】
以下、本発明をその実施の形態を示す図面に基づいて詳述する。
図１は、本実施の形態に係る３Ｄ眼鏡１の一構成例を示した斜視図、図２は、３Ｄ眼鏡１の一構成例を示した平面図、図３は、３Ｄ眼鏡１の分解斜視図である。本発明の実施の形態に係る３Ｄ眼鏡１は、表示装置に表示された右目用及び左目用の映像夫々を選択的に透過させる右目用シャッタ１１Ｒ及び左目用シャッタ１１Ｌと、右目用シャッタ１１Ｒ及び左目用シャッタ１１Ｌを保持するリム１２、１２と、リム１２、１２を連結するブリッジ１３と、リム１２、１２の左右両側設けられた智部１４、１４と、回転ヒンジ機構１５、１５を介して智部１４、１４に設けられたテンプル１６と、右目用シャッタ１１Ｒ及び左目用シャッタ１１Ｌを駆動する回路１９とを備える。以下、３Ｄ眼鏡１を装着して起立したユーザの視点で規定される上下、左右及び前後の方向を、上下方向、前後方向及び上下方向という。
【００２３】
右目用シャッタ１１Ｒ及び左目用シャッタ１１Ｌは、例えば液晶シャッタであり、後述するシャッタ駆動部から与えられた駆動電圧に応じて、交互に開閉する。具体的には、表示装置３に右目用の映像が表示されている場合、左目用シャッタ１１Ｌが閉鎖し、右目用シャッタ１１Ｒのみが開いて、右目用の映像を透過させる。同様に、表示装置３に左目用の映像が表示されている場合、右目用シャッタ１１Ｒが閉鎖し、左目用シャッタ１１Ｌが開いて、左目用の映像を透過させる。このようにして、視聴者の右目には、右目用の映像が、左目には左目の映像が映り、その結果、３Ｄの映像を楽しむことが可能になる。
【００２４】
リム１２、１２は、正面視で略矩形枠状をなし、右目用シャッタ１１Ｒ及び左目用シャッタ１１Ｌをそれぞれ枠内に保持している。リム１２、１２は、例えば、ＡＢＳ（acrylonitrile butadiene styrene）、ポリカＡＢＳ等の樹脂で成形されている。
【００２５】
ブリッジ１３は、右目用シャッタ１１Ｒを保持しているリム１２と、左目用シャッタ１１Ｌを保持しているリム１２とを、左右に並んだ状態で連結する部材であり、リム１２、１２と一体的に形成されている。また、ブリッジ１３は、下部に鼻当て部１３ａを有している。
【００２６】
智部１４、１４は、リム１２、１２の左右方向外側から後方へ湾曲してなり、リム１２、１２と一体的に成型されている。智部１４、１４の後端部は、側面視が略Ｃ字状に窪んでおり、該後端部には、回転ヒンジ機構１５、１５が設けられている。
【００２７】
回転ヒンジ機構１５、１５は、智部１４、１４の後端部に設けられた上下方向の回転軸と、該回転軸を中心にして回転する回転部材とを含む。
【００２８】
テンプル１６，１６は、回転ヒンジ機構１５、１５を介してリム１２、１２に連結しており、図１及び図２に示すように、最大限に開いた位置と、該位置から左右方向内側に折り畳んだ位置との間で回動開閉可能に構成されている。テンプル１６，１６は、テンプル１６，１６の前部を構成しており、回路１９を収容するテンプル前部１７，１７と、テンプル１６，１６の後部を構成しており、弾性変形が可能なテンプル後部１８，１８とを含む。左右のテンプル１６，１６は、同様の構成であるため、以下、一方のテンプル１６について細部の構造を説明する。
【００２９】
テンプル前部１７は、ＡＢＳ、ポリカＡＢＳ等の樹脂製であり、実質的に弾性変形が不能な中空の筐体を有する。テンプル前部１７の筐体は、側面視が略台形状をなし、前方から後方に亘って上下方向の幅が狭くなるように形成されている。また、テンプル前部１７の筐体は、前後方向略中央部が左右方向に湾曲凸状をなし、該筐体の内部に回路１９、電池２等が収容されている。開いた２つのテンプル前部１７は、想定されるユーザの最大の頭部が収まるような所定の最大頭部幅を有している。
【００３０】
図４は、芯部材１８ａの一構成例を示した斜視図、図５は、芯部材１８ａの一構成例を示した平面図、図６は、覆部材１８ｃの一構成例を示した斜視図である。テンプル後部１８は、芯部材１８ａと、芯部材１８ａを覆う覆部材１８ｃとを含む。開いた２つのテンプル後部１８は、想定されるユーザの最小の頭部を保持できるような所定の最小頭部幅を有している。
【００３１】
芯部材１８ａは、テンプル前部１７に比べて上下寸法が短く、左右方向に扁平な板状の部材であり、弾性変形が可能な樹脂で形成されている。例えば、芯部材１８ａは、テンプル前部１７と一体的に同一部材で形成されている。テンプル前部１７は中空の筐体構造を有しているため、実質的に弾性変更しないが、芯部材１８ａは、扁平な板状の部材であるため、弾性変形が可能である。芯部材１８ａは、前方から後方に亘って上下方向の幅が狭くなり、芯部材１８ａの後端部は下方に湾曲している。また、芯部材１８ａは、前方から後方にかけて左右方向内側に位置するよう、平面視略Ｓ字状に形成されている。更に、芯部材１８ａは、左右方向外側の面の適宜箇所に、前後に亘って複数の縦溝状の凹部１８ｂを有する。
【００３２】
覆部材１８ｃは、芯部材１８ａに比べて軟質の材料、例えば、ゴム、エラストマー等の樹脂で形成されている。覆部材１８ｃは、芯部材１８ａの外郭に倣うように形成された孔部を有している。ただし、覆部材１８ｃは、芯部材１８ａの凹部１８ｂに対応する凸部は有しておらず、芯部材１８ａの金型調整工程で芯部材１８ａの凹部１８ｂの形状が変更されても、覆部材１８ｃを芯部材１８ａに装着できるように形成されている。覆部材１８ｃは、該孔部に芯部材１８ａが挿入することによって、芯部材１８ａに装着され、覆部材１８ｃの外表面は、覆部材１８ｃが芯部材１８ａに挿入された状態で、テンプル前部１７の外表面と略連続するように形成されている。
【００３３】
図７は、３Ｄ眼鏡１の内部回路構成を示したブロック図である。３Ｄ眼鏡１は、図７に示すように、３Ｄ眼鏡制御部１９ａ、３Ｄ眼鏡１の各構成部を駆動させるための電池２、電池２の残量を検出する電池残量検出部１９ｂ、タイマ１９ｃ、発振回路１９ｄ、同期信号受信部１９ｅ、シャッタ駆動部１９ｆ、右目用シャッタ１１Ｒ、左目用シャッタ１１Ｌ、及びＩＲ送信部１９ｇを備える。
【００３４】
電池２は、例えばリチウム電池、アルカリマンガン電池などのボタン型一次電池、又はリチウムイオン電池などの二次電池であり、３Ｄ眼鏡制御部１９ａ及びシャッタ駆動部１９ｆに給電を行う。また、電池２は、電池残量検出部１９ｂに接続されている。
【００３５】
電池残量検出部１９ｂは、例えば、電池２の残量を検出する専用のＩＣであり、電池２の残量に応じた信号レベルの制御信号を３Ｄ眼鏡制御部１９ａへ出力している。具体的には、電池残量検出部１９ｂは、電池２の残量が所定量以上である場合、ローレベルの制御信号を３Ｄ眼鏡制御部１９ａへ出力し、電池２の残量が所定量未満である場合、ハイレベルの制御信号を３Ｄ眼鏡制御部１９ａへ出力する。専用のＩＣとしては、例えば、携帯電話機の電池２の残量を検出するＩＣが挙げられる。電池残量が所定量以上にある通常使用時にて、ローレベルの制御信号を出力するように構成することによって、無駄なエネルギー消費を抑えることができる。
【００３６】
タイマ１９ｃは、電池２の残量が少なくなった旨を示した警告信号を送信するタイミングを計るための素子であり、３Ｄ眼鏡制御部１９ａの制御に従って時間を計時し、指定された所定時間を計時した場合、特定の信号を３Ｄ眼鏡制御部１９ａへ出力する。
【００３７】
発振回路１９ｄは、３Ｄ眼鏡制御部１９ａを動作させると共に、右目用シャッタ１１Ｒ及び左目用シャッタ１１Ｌを開閉させる基準となるクロックを生成し、生成したクロックを３Ｄ眼鏡制御部１９ａへ出力する回路１９である。
【００３８】
同期信号受信部１９ｅは、例えば、フォトダイオードを備え、表示装置３に表示される右目用の映像と、左目の映像とに同期して、右目用シャッタ１１Ｒ及び左目用シャッタ１１Ｌを開閉させるべく、表示装置３から送信された同期信号を受信し、受信した同期信号を３Ｄ眼鏡制御部１９ａへ与える。
【００３９】
３Ｄ眼鏡制御部１９ａは、同期信号受信部１９ｅから出力された同期信号に同期させて、右目用シャッタ１１Ｒ及び左目用シャッタ１１Ｌを交互に開閉させるシャッタ制御信号夫々をシャッタ駆動部１９ｆに与える。右目用のシャッタ制御信号は、例えば、周波数が１２０Ｈｚ、デューティ比５０％の矩形波信号であり、左目用シャッタ１１Ｌのシャッタ制御信号は、右目用のシャッタ制御信号の位相を反転、つまり、位相を１８０度ずらした信号である。
また、３Ｄ眼鏡制御部１９ａは、電池残量検出部１９ｂから出力された制御信号の信号レベルがローレベルからハイレベルに変化した場合、電池２の残量が所定量未満である旨を警告するための警告信号をＩＲ送信部１９ｇに与える。
【００４０】
シャッタ駆動部１９ｆは、３Ｄ眼鏡制御部１９ａから与えられたシャッタ制御信号に基づいて、右目用シャッタ１１Ｒ及び左目用シャッタ１１Ｌに駆動電圧を与える。
【００４１】
右目用シャッタ１１Ｒ及び左目用シャッタ１１Ｌは、シャッタ駆動部１９ｆから与えられた駆動電圧に応じて、交互に開閉する。具体的には、表示装置３に右目用の映像が表示されている場合、左目用シャッタ１１Ｌが閉鎖し、右目用シャッタ１１Ｒのみが開いて、右目用の映像を透過させる。同様に、表示装置３に左目用の映像が表示されている場合、右目用シャッタ１１Ｒが閉鎖し、左目用シャッタ１１Ｌが開いて、左目用の映像を透過させる。このようにして、視聴者の右目には、右目用の映像が、左目には左目の映像が映り、その結果、３Ｄの映像を楽しむことが可能になる。
【００４２】
ＩＲ送信部１９ｇは、３Ｄ眼鏡１の鼻当て部１３ａの上部の略中央部に設けられており、例えば、ＩＲ信号を送信する赤外線発光ダイオードであり、３Ｄ眼鏡制御部１９ａから出力された警告信号をＩＲ信号として送信する。なお、ＩＲ送信部１９ｇを設ける箇所は、特に鼻当て部１３ａの上部に限定されず、３Ｄ眼鏡１の正面部分、つまり、ＩＲ信号を表示装置３へ送信することができる位置であれば、他の箇所に設けても良い。
【００４３】
なお、３Ｄ眼鏡制御部１９ａ、電池残量検出部１９ｂ、タイマ１９ｃ、発振回路１９ｄ、同期信号受信部１９ｅ、シャッタ駆動部１９ｆ、及びＩＲ送信部１９ｇは、回路１９に対応している。
【００４４】
図８は、ヒンジ効果の調整方法を示す工程図である。テンプル前部１７及び芯部材１８ａの金型を作成する（ステップＳ１１）。そして、テンプル前部１７及び芯部材１８ａを成型する（ステップＳ１２）。次いで、成型されたテンプル前部１７及び芯部材１８ａを用いて３Ｄ眼鏡１を製造し、ヒンジ効果を確認する（ステップＳ１３）。次いで、ヒンジ効果が設計範囲内であるか否かを判定する（ステップＳ１４）。ヒンジ効果が設計範囲内であると判定した場合（ステップＳ１４：ＹＥＳ）、ヒンジ効果の調整を終える。ヒンジ効果が設計範囲外であると判定した場合（ステップＳ１４：ＮＯ）、ステップＳ１１で作成した金型を切削又は研磨する（ステップＳ１５）。具体的には、芯部材１８ａの凹部１８ｂに対応する金型の凸部を研磨又は切削する。金型の凸部を研磨又は切削することによって、芯部材１８ａの凹部１８ｂの形状を変更し、芯部材１８ａの弾性力を変更することができる。
【００４５】
実施の形態に係る３Ｄ眼鏡１によれば、頭部の寸法に拘わらず、ユーザが長時間の使用によって苦痛を感じたり、眼鏡が落下するといった不具合を１つの眼鏡サイズで解消し、かつテンプル１６の変形によって回路１９が破損することを回避することができる。
【００４６】
また、テンプル後部１８を構成している芯部材１８ａがヒンジ効果を奏し、芯部材１８ａを覆う覆部材１８ｃは、芯部材１８ａに比べて軟質であるため、ユーザの顔に長時間直接当たっても痛くなることを防止することができる。
【００４７】
更に、テンプル前部１７及び芯部材１８ａを一体成型しているため、テンプル前部１７と、芯部材１８ａとを接合する構造が不要であり、低コストで効率的に３Ｄ眼鏡１を製造することができる。
【００４８】
更に、芯部材１８ａの凹部１８ｂに相当する金型の凸部を切削又は研磨することによって、テンプル後部１８の前後に亘るヒンジ効果、即ちテンプル後部１８の変形具合を容易に最適化することができる。
更にまた、芯部材１８ａは覆部材１８ｃによって覆われているため、テンプル１６の意匠を損なうことなく、芯部材１８ａのヒンジ効果を調整することができる。
【００４９】
なお、凹部を芯部材の左右方向外側に形成する例を説明したが、芯部材の左右方向内側の面に形成しても良い。
【００５０】
また、縦溝状の凹部を例示したが、言うまでも無く、横溝状であっても良い。更に、円形状、楕円状、その他の形状であっても良い。
【００５１】
更に、テンプル前部と、芯部材とを一体形成する例を説明したが、テンプル前部と、芯部材とを別部材で構成しても良い。
【００５２】
（変形例１）
変形例１に係る３Ｄ眼鏡１は、実施の形態と同様の構成であり、芯部材１８ａの構成のみが異なるため、以下では主に上記相異点を説明する。
【００５３】
図９は、変形例１に係る３Ｄ眼鏡の芯部材１１８ａの一構成例を示した斜視図である。変形例１に係る３Ｄ眼鏡の芯部材１１８ａは、前後方向両端に亘って縦溝状の凹部１１８ｂを有する。
【００５４】
変形例１に係る３Ｄ眼鏡によれば、凹部１１８ｂが芯部材１１８ａの前後方向両端に亘って形成されているため、３Ｄ眼鏡の製造工程で、テンプル後部の弾性を前後に亘ってよりきめ細かく調整することが可能である。
【００５５】
（変形例２）
変形例２に係る３Ｄ眼鏡は、実施の形態と同様の構成であり、芯部材２１８ａの構成のみが異なるため、以下では主に上記相異点を説明する。
【００５６】
図１０は、変形例２に係る３Ｄ眼鏡の芯部材２１８ａの一構成例を示した平面図である。変形例２に係る３Ｄ眼鏡の芯部材２１８ａは、前後に亘って複数の縦溝状の凹部２１８ｂを有し、前方の凹部２１８ｂは、後方の凹部２１８ｂに比べて深くなるように形成されている。
【００５７】
変形例２に係る３Ｄ眼鏡によれば、テンプルの前後に亘って適当な弾性力を発揮する。ユーザがテンプル後部を左右方向外側に押し広げ、凹部２１８ｂを有さない芯部材２１８ａを用いた３Ｄ眼鏡を装着した場合、テンプル後部２１８の前方部分の方が、後方部分に比べて強い左右方向の弾性反力が発生する。従って、頭部の寸法が大きいユーザが前記３Ｄ眼鏡を長時間装着した場合、テンプル後部２１８の前方部分の弾性反力によって、ユーザが苦痛を感じるおそれがある。一方、変形例２に係る３Ｄ眼鏡は、テンプル後部の前方部分の方が後方部分に比べて変形し易いため、テンプル後部の前後に亘って、弾性反力を抑えることができる。従って、頭部の寸法に拘わらず、ユーザが長時間の使用によって苦痛を感じる不具合を解消することができる。
【００５８】
（変形例３）
変形例３に係る３Ｄ眼鏡は、実施の形態と同様の構成であり、芯部材３１８ａの構成のみが異なるため、以下では主に上記相異点を説明する。
図１１は、変形例３に係る３Ｄ眼鏡の芯部材３１８ａの一構成例を示した平面図である。変形例３に係る３Ｄ眼鏡の芯部材３１８ａは、前後に亘って複数の縦溝状の凹部３１８ｂを有し、前方の凹部３１８ｂは、後方の凹部３１８ｂに比べて、前後方向の幅が広くなるように形成されている。
【００５９】
変形例３に係る３Ｄ眼鏡１にあっては、変形例２と同様、テンプルの前後に亘って適当な弾性力を発揮する。
【００６０】
（変形例４）
変形例４に係る３Ｄ眼鏡１は、実施の形態と同様の構成であり、芯部材４１８ａの構成のみが異なるため、以下では主に上記相異点を説明する。
図１２は、変形例４に係る３Ｄ眼鏡の芯部材４１８ａの一構成例を示した斜視図である。変形例４に係る３Ｄ眼鏡の芯部材４１８ａは、前後に亘って複数の縦溝状の凹部４１８ｂを有し、前方の凹部４１８ｂ同士の間隔は、後方の凹部４１８ｂ同士の間隔に比べて広くなるように形成されている。
【００６１】
変形例４に係る３Ｄ眼鏡１によれば、変形例２と同様、テンプルの前後に亘って適当な弾性力を発揮する。
【００６２】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００６３】
１  ３Ｄ眼鏡
２  電池
３  表示装置
１１Ｒ  右目用シャッタ
１１Ｌ  左目用シャッタ
１２  リム
１３  ブリッジ
１３ａ  鼻当て部
１４  智部
１５  回転ヒンジ機構
１６  テンプル
１７  テンプル前部
１８  テンプル後部
１８ａ  芯部材
１８ｂ  凹部
１８ｃ  覆部材
１９  回路
【図１】
2012022247.tif 000003
【図２】
2012022247.tif 000004
【図３】
2012022247.tif 000005
【図４】
2012022247.tif 000006
【図５】
2012022247.tif 000007
【図６】
2012022247.tif 000008
【図７】
2012022247.tif 000009
【図８】
2012022247.tif 000010
【図９】
2012022247.tif 000011
【図１０】
2012022247.tif 000012
【図１１】
2012022247.tif 000013
【図１２】
2012022247.tif 000014